(57)【要約】【課題】          挾持レールと搬送チェンとによる穀稈挾持を解除できるのみならず、挾持レールをその詰まり箇所から離脱させることができ、従来のバックルに比べて構造を複雑にすることなく取扱い性を向上させる。【解決手段】      搬送チェンと挾持レールとで刈取穀稈の株元部を挾持搬送するコンバインにおいて、前記挾持レールの取付け手段を構成するに、挾持レールを搬送チェンに対する挾持・解除方向に移動自在に支持するレール支持台の固定ブラケットに対する挾持・解除方向での移動により係脱自在で係合状態においてレール支持台の固定ブラケットに対する搬送方向位置及び穀稈稈身方向位置を規制する係合規制手段を設け、前記レール支持台の固定ブラケットに対する挾持・解除方向位置を規制する状態で係合規制手段を係合状態に固定するロック部材を設けることを特徴とする。【選択図】        図１
2004154145.tif 000002
【特許請求の範囲】
【請求項１】
搬送チェン３５と挾持レール３９とで刈取穀稈の株元部を挾持搬送するコンバインにおいて、前記挾持レール３９の取付け手段を構成するに、挾持レール３９を搬送チェン３５に対する挾持・解除方向に移動自在に支持するレール支持台４２の固定ブラケット４０に対する挾持・解除方向での移動により係脱自在で係合状態においてレール支持台４２の固定ブラケット４０に対する搬送方向位置及び穀稈稈身方向位置を規制する係合規制手段５２を設け、前記レール支持台４２の固定ブラケット４０に対する挾持・解除方向位置を規制する状態で係合規制手段５２を係合状態に固定するロック部材５３を設けることを特徴とするコンバイン。
【発明の詳細な説明】
【技術分野】
【０００１】
本発明は例えば刈取部で刈取った穀稈を脱穀部まで搬送するようにしたコンバインに関する。
【背景技術】
【０００２】
従来、搬送チェンと挾持レールとで刈取穀稈の株元部を挾持搬送するコンバインにおいて、前記挾持レールの取付け手段を構成するに、挾持レールを搬送チェンに対する挾持・解除方向に移動自在に支持するレール支持台と固定ブラケットを設ける技術がある。（例えば、特許文献１参照）
【０００３】
【特許文献１】実開平５−２４号公報
【発明の開示】
【発明が解決しようとする課題】
【０００４】
前記従来技術は、レール支持台と固定ブラケットをバックルによって固定させるから、搬送チェンと挾持レールの間に多量の稈が加圧挾持されて稈詰り状態になったとき、バックルの係合抵抗が大きく、バックルの係合を解除する操作を容易に行い得ないと共に、解除操作力が小さいバックルを用いることにより、搬送する稈がバックルに引掛るだけでバックルが解除動作する不具合がある等の構造上及び取扱い上の問題がある。
【課題を解決するための手段】
【０００５】
然るに、本発明は、請求項１の如く、搬送チェンと挾持レールとで刈取穀稈の株元部を挾持搬送するコンバインにおいて、前記挾持レールの取付け手段を構成するに、挾持レールを搬送チェンに対する挾持・解除方向に移動自在に支持するレール支持台の固定ブラケットに対する挾持・解除方向での移動により係脱自在で係合状態においてレール支持台の固定ブラケットに対する搬送方向位置及び穀稈稈身方向位置を規制する係合規制手段を設け、前記レール支持台の固定ブラケットに対する挾持・解除方向位置を規制する状態で係合規制手段を係合状態に固定するロック部材を設けることを特徴とする。
【発明の効果】
【０００６】
請求項１に係る発明は、搬送チェンと挾持レールとで刈取穀稈の株元部を挾持搬送するコンバインにおいて、前記挾持レールの取付け手段を構成するに、挾持レールを搬送チェンに対する挾持・解除方向に移動自在に支持するレール支持台の固定ブラケットに対する挾持・解除方向での移動により係脱自在で係合状態においてレール支持台の固定ブラケットに対する搬送方向位置及び穀稈稈身方向位置を規制する係合規制手段を設け、前記レール支持台の固定ブラケットに対する挾持・解除方向位置を規制する状態で係合規制手段を係合状態に固定するロック部材を設けるもので、レール支持台を固定ブラケットに装着することにより挾持レールを所定の位置に位置させて搬送チェンとの共同による所期の穀稈挾持搬送を行えながらも、穀稈詰まりが発生した場合には、レール支持台と固定ブラケットの固定を解除することにより、挾持レールと搬送チェンとによる穀稈挾持を解除できるのみならず、挾持レールをその詰まり箇所から離脱させることができ、レール支持台の位置を規制する係合規制手段と、係合規制手段を係合状態に固定するロック部材を設けるから、従来のバックルに比べて構造を複雑にすることなく、取扱い性を向上させることができるものである。
【発明を実施するための最良の形態】
【０００７】
以下、本発明の実施例を図面に基づいて詳述する。図１は搬送ガイド部の平面説明図、図２はコンバインの全体側面図、図３は同平面図であり、図中１は走行クローラ２を装設するトラックフレーム、３は前記トラックフレーム１に架設する機台、４はフィードチェン５を左側に張架し扱胴６及び処理胴７を内蔵している脱穀機である脱穀部、８は刈刃９及び穀稈搬送機構１０などを備える刈取部、１１は刈取フレーム１２を介して刈取部８を昇降させる油圧シリンダ、１３は排藁チェン１４終端を臨ませる排藁処理部、１５は脱穀部４からの穀粒を揚穀筒１６を介して搬入する穀物タンク、１７は前記タンク１５の穀粒を機外に搬出する排出オーガ、１８は運転操作部１９及び運転席２０を備える運転キャビン、２１は運転キャビン１８下方に設けるエンジンであり、連続的に穀稈を刈取って脱穀するように構成している。
【０００８】
図４乃至図５に示す如く、前記刈取部８は分草板２２を介し取入れられる未刈り穀稈を起立させる引起しタイン２３を有する６条用引起しケース２４と、この引起された穀稈の稈元側及び穂先側を掻込むスターホイル２５及び掻込ベルト２６と、この掻込時稈元側を切断する刈刃９と、切断後の右側２条分の穀稈の稈元側を左斜め後方に搬送する右下部搬送チェン２７と、右側２条分の穀稈の穂先側を左斜め後方に向け搬送する右上部搬送タイン２８ａを有する右上部搬送体２８と、中央２条分の穀稈の稈元側及び穂先側を後方の右下部搬送チェン２７及び右上部搬送体２８の送り中間位置近傍に合流させる中央下部搬送チェン２９及び中央上部搬送タイン３０ａを有する中央上部搬送体３０と、左側２条分の穀稈の稈元側及び穂先側を右下部搬送チェン２７及び右上部搬送体２８の送り終端位置近傍に合流させる左下部搬送チェン３１及び左上部搬送タイン３２ａを有する左上部搬送体３２と、前記右下部搬送チェン２７の送り終端に合流する６条分の穀稈の稈元側を前記フィードチェン５の送り始端に受継ぎ搬送する縦搬送チェン３３と、前記右上部搬送体２８の送り終端に合流する６条分の穀稈の穂先側を脱穀入口方向に搬送する後上部搬送タイン３４ａを有する後上部搬送体３４と、前記後上部搬送体３４と縦搬送チェン３３との送り終端部間の上下略中央位置に設けてフィードチェン５に適正姿勢で穀稈を受継ぎさせる補助搬送チェン３５と、前記各上部搬送体２８・３０・３２の上方で対向位置に設けて穀稈の穂首より若干下部を搬送する右・中央・左穂先搬送タイン３６ａ・３７ａ・３８ａをそれぞれ有する右・中央・左穂先搬送体３６・３７・３８とを備え、刈取られた６条分の穀稈の稈元側及び穂先側を各チェン２７・２９・３１及び各搬送体２８・３０・３２を介し縦搬送チェン３３に受継ぎ合流させて脱穀部４に供給し脱穀処理するように構成している。
【０００９】
図６乃至図１０にも示す如く、前記補助搬送チェン３５の送り作用側に配設する挾扼搬送ガイド３９を、本体側に固定するガイド受台４０にブラケット４１・ロッドガイド台４２・ロッド４３を介しチェン３５との間隔を変更自在に支持させるもので、前記ブラケット４１とガイド台４２はそれぞれ断面冂形状に形成し、ガイド台４２の両側壁部４２ｂの左右両端間をロッド４３が貫通してガイド台４２にロッド４３が支持されるのに対し、前記ブラケット４１とガイド台４２とは交叉させ、ブラケット４１の上側壁部４１ｂにガイド台４２の上側壁部４２ａの左右略中央を長孔４４及びボルト４５を介しロッド４３の長手方向に調節自在に固定させ、前記ガイド台４２とロッド４３間には挾扼バネ４６を介在させて、搬送ガイド３９に常時はチェン３５方向の張り力を付勢するように構成している。
【００１０】
また、前記ガイド受台４０は逆冂形に形成し、立上り両側壁部４０ｂの一方を補助ガイドフレーム４７を介し本体側に連結支持させ、両側壁部４０ｂの内側面にブラケット４１の両側壁部４１ｂ下端側を接合させ、該両側壁部４１ｂに形成するスライド用長孔４８を、受台両側壁部４０ｂ間を挿通させる支点軸４９に係合させ、受台４０に長孔４８の範囲内でブラケット４１を移動自在に連結させている。
【００１１】
さらに、前記ブラケット両側壁部４１ｂ内側面の長孔４８周囲に規制板５０を固定させ、受台４０の両側壁部４０ｂ間に横設する上向き防止板５１と規制板５０一端側の上向き規制部５０ａとの係合によって前記支点軸４９を中心としたブラケット４１の反時計方向の回動を阻止させると共に、受台両側壁部４０ｂ上端縁とガイド台４２一側の側壁部４２ｂ下端縁との当接（図９中Ａ部）によって前記支点軸４９を中心としたブラケット４１の時計方向の回動を阻止するように構成している。
【００１２】
またさらに、前記ガイド受台４０にはロック軸５２を有するロックレバー５３を設けて、前記搬送ガイド３９の挾扼解除をレバー５３によって行うようにしたもので、前記受台４０の防止板５１とは反対側の底壁部４０ａ略中央の軸受部５４に軸５５を介してロックレバー５３基端の軸ボス５６を上下回動自在に支持させ、前記ロック軸５２を軸ボス５６に固設させ、前記ロックレバー５３を起立保持させてのロック操作時、前記規制板５０の後退規制部５０ｂを挾んだ支点軸４９の対向位置にロック軸５２を位置保持させる状態とさせて、ブラケット４１のチェン３５より反対方向へのスライドを規制する一方、前記ロックレバー５３を横水平状に傾倒させてのロック解除操作時、軸５５を中心としてロック軸５２を軸５５の上方位置に移動させて、この軸５５による規制部５０ｂに対する規制を解除させてブラケット４１を長孔４４の範囲内で最大チェン３５から離れる方向に移動させるように構成している。つまり図９乃至図１０に示す如く、前記規制板５０の後退規制部５０ｂは、上向き規制部５０ａの反対側位置にあって、長孔４８を囲む状態で且つ軸５５及び軸ボス５６に干渉させることなく間隔を空けて両側壁部４１ｂ近傍のみに設けると共に、前記ロック軸５２は規制部５０ｂの後退面に干渉させるように規制板５０の横巾と略同一に設けて、前記レバー５３のロック操作時には規制部５０ｂの後退面をロック軸５２に当接させてその後退を規制する一方、レバー５３のロック解除操作時には規制部５０ｂの後退面とロック軸５２の当接解除によってその後退を許容するように構成したものである。なおロック操作時にあってはロック軸５２の下側には規制板５０の下側規制部５０ｃの延長端が位置する状態となって、ロックレバー５３のロック解除方向とは反対側方向の回動が規制されるものである。
【００１３】
また、前記ロックレバー５３のロック操作時、該レバー５５を起立位置で保持するレバーストッパ５７を、ガイド台４２の上方位置に設けるもので、本体側にフレーム５８及び取付板５９などを介し固設するストッパ座６０に、軸６１を介してＵ形状のストッパ５７基端を回動自在に支持させ、ストッパ５７の開脚部間で、ストッパ５７を横水平姿勢位置まで回動させて、開脚先端部をストッパ座６０のストッパピン６２に係止させるとき、レバー５３をこのロック位置で保持するように構成している。
【００１４】
前記支点軸４９は、受台側壁部４０ｂより突出させる外側端に枢着板６３を固設していて、受台４０に固設するボルトボス６４にボルト６５を介し枢着板６３を固定することによって、支点軸４９の取付けを行うように設けて、ボルト６５による枢着板６３の着脱操作によって支点軸４９の取付け及び取外し可能とさせるように構成している。
【００１５】
而して刈取作業中に、補助搬送チェン３５と搬送ガイド３９間に穀稈の詰まり事故などが発生し、搬送ガイド３９が稈の詰まり圧によってこの反対方向にスライドし、挾扼バネ４６のバネ圧も大となるときには、前記レバー５３に対するストッパ５７のロック解除を行って、レバー５３を起立位置より傾倒させ、前記ブラケット４１に対するロック軸５２の規制を解除させて、長孔４８のストローク分ブラケット４１と一体に搬送ガイド３９を搬送チェン３５より後退させる状態とさせて、穀稈に対するバネ４６の押圧力（詰まった穀稈が少ない時には稈とガイド３９との間には隙間ができる）を弱めて稈を容易に取除き可能とさせるものである。このようにロックレバー５３のみの操作によって搬送ガイド３９のワンタッチ解除を可能とさせて、詰まり稈の取除き作業などの能率向上化が図れるものである。
【００１６】
また、搬送ガイド３９の取外し時においても、搬送ガイド３９の最後退位置で前記ボルト６５による枢着板６３の取外し操作で支点軸４９をブラケット４１より引抜くことによって、ブラケット４１と一体の搬送ガイド３９の取外しが容易に行えるものである。
【００１７】
上記から明らかなように、搬送チェン３５と挾持レールである挟扼搬送ガイド３９とで刈取穀稈の株元部を挾持搬送するコンバインにおいて、前記挟扼搬送ガイド３９の取付け手段を構成するに、挟扼搬送ガイド３９を搬送チェン３５に対する挾持・解除方向に移動自在に支持するレール支持台であるロッドガイド台４２の固定ブラケットであるガイド受台４０に対する挾持・解除方向での移動により係脱自在で係合状態においてロッドガイド台４２のガイド受台４０に対する搬送方向位置及び穀稈稈身方向位置を規制する係合規制手段であるロック軸５２を設け、前記ロッドガイド台４２のガイド受台４０に対する挾持・解除方向位置を規制する状態でロック軸５２を係合状態に固定するロック部材であるロックレバー５３を設けるもので、ロッドガイド台４２をガイド受台４０に装着することにより挟扼搬送ガイド３９を所定の位置に位置させて搬送チェン３５との共同による所期の穀稈挾持搬送を行えながらも、穀稈詰まりが発生した場合には、ロックガイド台４２とガイド受台４０の固定を解除することにより、挟扼搬送ガイド３９と搬送チェン３５とによる穀稈挾持を解除できるのみならず、挟扼搬送ガイド３９をその詰まり箇所から離脱させることができ、ロックガイド台４２の位置を規制するロック軸５２と、ロック軸５２を係合状態に固定するロックレバー５３を設けるから、従来のバックルに比べて構造を複雑にすることなく取扱い性を向上させる。
【００１８】
図１１乃至図１３のものは、レバーのみによるワンタッチ操作で搬送ガイド３９と一体にガイド台４２を補助ガイドフレーム４７のガイド受台４０より取外して詰まり稈の取除きを容易とさせるように構成例を示すもので、補助ガイドフレーム４７のレバー取付板６６にレバー軸６７を介して鋏状のロック解除レバー６８を設け、解除レバー６８の握り操作部６８ａの反対側端に、ガイド台４２及び受台４０の差込み孔に係合挿入させる差込みピン６９を回動且つ移動自在に設けて、レバー操作によって該ピン６９でガイド台４２と受台４０とを一体連結させるときロック状態とさせる一方、ピン６９を引抜くとき搬送ガイド３９と一体にガイド台４２を受台４０より分離させて詰まり稈の取除きを行うように構成したものである。
【図面の簡単な説明】
【００１９】
【図１】搬送ガイド部の説明図。
【図２】コンバインの全体側面図。
【図３】コンバインの全体平面図。
【図４】刈取部の側面説明図。
【図５】刈取部の平面説明図。
【図６】補助搬送チェン部の平面説明図。
【図７】搬送ガイド部の平面説明図。
【図８】ロックレバー部の説明図。
【図９】ブラケット部の側面説明図。
【図１０】ブラケット部の平面説明図。
【図１１】搬送ガイドの取外し構成例における平面説明図。
【図１２】搬送ガイドの取外し構成例におけるロック状態を示す説明図。
【図１３】搬送ガイドの取外し構成例におけるロック解除を示す説明図。
【符号の説明】
【００２０】
３５    補助搬送チェン
３９    挟扼搬送ガイド（挾持レール）
４０    ガイド受台（固定ブラケット）
４２    ロッドガイド台（レール支持台）
５２    ロック軸（係合規制手段）
５３    ロックレバー（ロック部材）
【図１】
2004154145.tif 000003
【図２】
2004154145.tif 000004
【図３】
2004154145.tif 000005
【図４】
2004154145.tif 000006
【図５】
2004154145.tif 000007
【図６】
2004154145.tif 000008
【図７】
2004154145.tif 000009
【図８】
2004154145.tif 000010
【図９】
2004154145.tif 000011
【図１０】
2004154145.tif 000012
【図１１】
2004154145.tif 000013
【図１２】
2004154145.tif 000014
【図１３】
2004154145.tif 000015